(57)【要約】【課題】画像中の色の探索を支援する機能を備えた情報処理端末等を、簡易かつ低廉に提供する。【解決手段】画像を表示する情報処理端末とサーバ装置とを有する画像表示システムにおいて、情報処理端末は、画像に含まれる色のうち探索すべき探索色の入力を受ける入力部と、画像データと探索色データとをサーバ装置に送信する送信部と、画像内の前記探索色に対応する領域に識別画像が重畳された処理画像データをサーバ装置から受信する受信部と、処理画像データに基づき処理画像を表示する表示部とを有し、また、サーバ装置は、画像データと探索色データとを受信する受信部と、画像内の探索色に対応する領域を探索する探索部と、探索した領域に識別画像を重畳した処理画像データを生成する重畳部と、処理画像データを情報処理端末に送信する送信部とを有するように構成して、色探索の支援を簡易かつ低廉に可能にした。【選択図】図１
2014157524.tif 000002
【特許請求の範囲】
【請求項１】
画像を表示する情報処理端末と、当該情報処理端末と接続されるサーバ装置とを有する画像表示システムであって、
前記情報処理端末は、
画像に含まれる色のうち探索すべき探索色の入力を受ける入力部と、
前記画像に対応する画像データと前記探索色に対応する探索色データとを前記サーバ装置に送信する送信部と、
前記画像内の前記探索色に対応する領域に識別画像が重畳された処理画像に対応する処理画像データを前記サーバ装置から受信する受信部と、
前記処理画像データに基づき前記処理画像を表示する表示部とを有し、
前記サーバ装置は、
前記画像データと前記探索色データとを受信する受信部と、
前記画像内の前記探索色に対応する領域を探索する探索部と、
探索した前記領域に前記識別画像を重畳した前記処理画像データを生成する重畳部と、
前記処理画像データを前記情報処理端末に送信する送信部とを有する、
画像表示システム。
【請求項２】
請求項１において、
前記重畳部は、前記領域の重心に前記識別画像を配置して重畳させる、
画像表示システム。
【請求項３】
画像に含まれる色のうち探索すべき探索色の入力を受ける情報処理端末から、前記探索色に対応する探索色データと、前記画像に対応する画像データとを受信する受信部と、
前記画像内の前記探索色に対応する領域を探索する探索部と、
探索した前記領域に前記探索色に対応する識別画像を重畳した処理画像データを生成する重畳部と、
前記処理画像データを前記情報処理端末に送信し、当該情報処理端末にて前記処理画像データに対応する処理画像が表示される、送信部と、
を有するサーバ装置。
【請求項４】
請求項３において、
前記重畳部は、前記領域の重心に前記識別画像を配置して重畳させる、
サーバ装置。
【請求項５】
画像に含まれる色のうち探索すべき探索色の入力を受ける入力部と、
前記画像に対応する画像データと前記探索色に対応する探索色データとに基づき、前記画像内の前記探索色に対応する領域を探索する探索部と、
探索した前記領域に前記識別画像を重畳した前記処理画像データを生成する重畳部と、
前記処理画像データに基づき前記処理画像を表示する表示部とを有する、
情報処理端末。
【請求項６】
請求項５において、
前記重畳部は、前記領域の重心に前記識別画像を配置して重畳させる、
情報処理端末。
【請求項７】
画像を表示する画像表示システムの制御方法であって、
前記画像表示システムにより、
画像に含まれる色のうち探索すべき探索色の入力を受けるステップと、
前記画像に対応する画像データと前記探索色に対応する探索色データとに基づき、前記画像内の前記探索色に対応する領域を探索するステップと、
探索した前記領域に前記識別画像を重畳した前記処理画像データを生成するステップと、  
前記処理画像データに基づいて、前記領域に前記識別画像が重畳された処理画像を表示するステップと、
を有する制御方法。
【請求項８】
請求項７において、
前記識別画像は、前記領域の重心に配置され重畳される、
制御方法。
【発明の詳細な説明】
【技術分野】
【０００１】
本発明は、画像を表示する情報処理端末、情報処理端末と接続されるサーバ装置、情報処理端末とサーバ装置とを有する画像表示システム、及び、画像表示システムの制御方法に関する。
【背景技術】
【０００２】
人物が周囲の環境から所望の色を有する物体を探索する際、探索対象の色（探索色）を有する物体が多数存在する場合には、探索色の探索は困難を伴う。たとえば、洋服売り場で形状は同じで色が異なる服のなかから好みの色の服を探す場合、好みの色の服が多数散在している場合である。あるいは、人物が色弱である場合にも、探索色の探索は困難を伴う。よって、かかる探索色の探索を支援する方法が提案されている。
【０００３】
探索色の探索支援方法の一つとして、情報処理装置において二次元画像に含まれる画像要素に色に応じて異なる奥行きを与え、三次元画像として表示する方法が、特許文献１に記載されている。かかる方法は、たとえば、鉄道の路線図の表示などに用いられる。
【先行技術文献】
【特許文献】
【０００４】
【特許文献１】特開２００８−２８１５９９号公報
【発明の概要】
【発明が解決しようとする課題】
【０００５】
しかしながら、特許文献１の方法では、情報処理装置が三次元画像の表示機能を備える必要があり、実装やコストの面で難がある。
【０００６】
従って、上記のような問題点に鑑みてなされた本発明の目的は、画像中の色の探索を支援する機能を備えた情報処理端末等を、簡易かつ低廉に提供することにある。
【課題を解決するための手段】
【０００７】
上記課題を解決するために、本発明の一側面における画像表示システムは、画像を表示する情報処理端末と、当該情報処理端末と接続されるサーバ装置とを有する。そして、前記情報処理端末は、画像に含まれる色のうち探索すべき探索色の入力を受ける入力部と、前記画像に対応する画像データと前記探索色に対応する探索色データとを前記サーバ装置に送信する送信部と、前記画像内の前記探索色に対応する領域に識別画像が重畳された処理画像に対応する処理画像データを前記サーバ装置から受信する受信部と、前記処理画像データに基づき前記処理画像を表示する表示部とを有する。また、前記サーバ装置は、前記画像データと前記探索色データとを受信する受信部と、前記画像内の前記探索色に対応する領域を探索する探索部と、探索した前記領域に前記識別画像を重畳した前記処理画像データを生成する重畳部と、前記処理画像データを前記情報処理端末に送信する送信部とを有する。
【０００８】
本発明の別の側面におけるサーバ装置は、情報処理端末から、画像に含まれる色のうち探索すべき探索色に対応する探索色データと、前記画像に対応する画像データとを受信する受信部と、前記画像内の前記探索色に対応する領域を探索する探索部と、探索した前記領域に前記探索色に対応する識別画像を重畳した処理画像データを生成する重畳部と、前記処理画像データを前記情報処理端末に送信し、当該情報処理端末にて前記処理画像データに対応する処理画像が表示される、送信部と、を有する。
【０００９】
本発明の別の側面における情報処理端末は、画像に含まれる色のうち探索すべき探索色の入力を受ける入力部と、前記画像に対応する画像データと前記探索色に対応する探索色データとに基づき、前記画像内の前記探索色に対応する領域を探索する探索部と、探索した前記領域に前記識別画像を重畳した前記処理画像データを生成する重畳部と、前記処理画像データに基づき前記処理画像を表示する表示部と、を有する。
【００１０】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。なお、方法やプログラムの各ステップは、データの処理においては必要に応じて、ＣＰＵ（Central Processing Unit）、ＤＳＰ（Digital Signal Processor）などの演算処理装置を使用するものであり、入力したデータや加工・生成したデータなどをＨＤＤ（Hard Disk Drive）、メモリなどの記憶装置に格納するものである。
【００１１】
たとえば、本発明を方法として実現した、画像を表示する画像表示システムの制御方法は、前記画像表示システムにより、画像に含まれる色のうち探索すべき探索色の入力を受けるステップと、前記画像に対応する画像データと前記探索色に対応する探索色データとに基づき、前記画像内の前記探索色に対応する領域を探索するステップと、探索した前記領域に前記識別画像を重畳した前記処理画像データを生成するステップと、前記処理画像データに基づいて、前記領域に前記識別画像が重畳された処理画像を表示するステップと、を有する制御方法ことを特徴とする。
【発明の効果】
【００１２】
本発明における実施形態によれば、画像中の色の探索を支援する機能を備えた情報処理端末等が、簡易かつ低廉に提供される。
【図面の簡単な説明】
【００１３】
【図１】第１実施形態における色探索システムの構成図である。
【図２】第１実施形態における色探索システムの動作手順を示すフローチャートである。
【図３】探索色の例を示す図である。
【図４】重畳処理が行われた画像の例を示す図である。
【図５】重畳処理が行われた画像の例を示す図である。
【図６】第２実施形態における色探索システムの構成図である。
【図７】第２実施形態における色探索システムの動作手順を示すフローチャートである。
【発明を実施するための形態】
【００１４】
以下、本発明の実施の形態について説明する。
【００１５】
[第１実施形態]
図１は、第１実施形態における色探索システムの構成図である。この色探索システムは、ユーザ用の情報処理端末１と、色探索サーバ装置２とを備える。情報処理端末１は、たとえば、各種情報処理機能やデータ通信機能を備える、いわゆるスマートフォンなどの携帯電話機である。情報処理端末１は、制御ユニット１００、入力ユニット１０１、表示ユニット１０２、撮像ユニット１０３、記憶ユニット１０４、通信ユニット１０５を有する。一方、色探索サーバ装置２は、たとえば、図示されない携帯電話回線を介して情報処理端末１とデータ通信が可能に接続される、パーソナルコンピュータなどの情報処理装置である。色探索サーバ装置２は、たとえば、制御ユニット２００、記憶ユニット２０１、通信ユニット２０３を有する。
【００１６】
情報処理端末１では、制御ユニット１００は、たとえばＭＰＵ（Micro Processing Unit）などのプロセッサであり、記憶ユニット１０４に格納される制御プログラムに従って動作し、各種制御・処理手順を実行する。制御ユニット１００は、画像生成部１１、画像送信部１２、画像受信部１３、画像表示部１４、探索色入力部１５及び探索色送信部１６を有する。画像生成部１１、画像送信部１２、画像受信部１３、画像表示部１４、探索色入力部１５及び探索色送信部１６は、制御ユニット１００が各部に対応する手順を実行することで実現される、機能ブロックである。一以上の機能ブロックを別のプロセッサに分離して構成することも可能である。また、制御ユニット１００は、これら各部に対応する手順に加え、情報処理端末１の動作を統括的に制御する制御手順を実行する。
【００１７】
入力ユニット１０１は、たとえばタッチパネルやキーパッドなどの入力装置であり、ユーザの入力を受け付ける。これらに加え、またはこれらの代わりに、入力ユニット１０１は、音声入力を受け付けるマイクロフォンと音声認識デバイスを備えてもよい。表示ユニット１０２は、たとえばＬＣＤ（Liquid Crystal Display）などの表示装置であり、各種画像や操作インターフェースを表示する。表示ユニット１０２は、たとえば、Ｒ（Red）、Ｇ（Green）、Ｂ（Blue）の加法混色によりカラー画像を表示する。ここでは、表示ユニット１０２は、二次元画像表示用の表示装置である。撮像ユニット１０３は、たとえば、ＣＣＤ（Charge Coupled Device）やＣＭＯＳ（Complementary MOS）を備えた撮像素子であり、光景や被写体の撮像画像を撮像して画像データを出力する。通信ユニット１０５は、無線信号の送受信、変調・復調、増幅等を行う無線通信装置であり、情報処理端末１の周辺の基地局と各種データの無線通信を行う。
【００１８】
一方、色探索サーバ装置２では、制御ユニット２００は、たとえばＣＰＵ（Central Processing Unit）などのプロセッサであり、記憶ユニット２０１に格納される制御プログラムに従って動作し、各種制御・処理手順を実行する。記憶ユニット２０１は、たとえば、ＲＯＭ（Read Only Memory）やＲＡＭ（Random Access Memory）を含むメモリ装置である。通信ユニット２０３は、たとえば、図示されない通信網と接続されるインターフェースであり、情報処理端末１との無線通信を中継する基地局と、通信網経由で接続される。制御ユニット２００は、画像受信部２１、色領域探索部２２、画像重畳部２３、画像送信部２４及び探索色受信部２５を有する。画像受信部２１、色領域探索部２２、画像重畳部２３、画像送信部２４及び探索色受信部２５は、制御ユニット２００が各部に対応する手順を実行することで実現される、機能ブロックである。また、制御ユニット２００は、これら各部に対応する手順に加え、色探索サーバ装置２の動作を統括的に制御する制御手順を実行する。
【００１９】
次に、図２のフローチャート図を併用して、第１実施形態における色探索システムの動作について説明する。この手順は、たとえば、ユーザが情報処理端末１に画像表示を指示する入力を行ったときに実行される。具体的には、ユーザが、情報処理端末１の撮像機能により撮像を行うまたは行ったときに、撮像対象画像または撮像画像を表示ユニット１０２が表示するときである。または、ユーザが、画像データを撮像やダウンロードにより取得して記憶ユニット１０４に格納しておき、この画像データに対応する画像を表示ユニット１０２が表示するときである。
【００２０】
情報処理端末１において、画像生成部１１が、画像データを生成する（Ｓ２００）。画像データは、カラー画像を示すためのカラー画像データである。カラー画像データは、たとえば、画像を構成する画素ごとの色の階調を示す画素値（ＲＧＢ値やＨＳＶ値など）を有する。画像データは、静止画像データであってもよいし、動画像をなす複数のフレームのデータ（以下、動画フレームという）であってもよい。動画フレームは、１枚の画像を表現するビット列のデータであり、例えばＪＰＥＧ、ＰＮＧ、ＷＭＦ等の画像データである。または、画像データは、動画フレームを圧縮、再符号化した、ＭＰＥＧ、Motion JPEG、ＷＭ１等のデータであってもよい。たとえば、画像生成部１１は、撮像ユニット１０３が撮像する撮像画像から動画フレームを生成し、動画フレームを変換して画像データを生成する。そして、画像生成部１１は、生成した画像データを画像送信部１２に渡す。
【００２１】
一方で、探索色入力部１５は、ユーザが探索色を入力するためのインターフェース画像を表示ユニット１０２に表示させる。探索色は、ユーザが表示画像中で色により特定される領域を探索したいとき、探索対象となる色である。ユーザが入力ユニット１０１に対し探索色を指定する入力を行うと、探索色入力部１５は入力を受け付けて（Ｓ２０２）、探索色の色名を含む探索色データを生成し（Ｓ２０４）、これを色探索命令とともに探索色送信部１６に渡す。
【００２２】
ここで、図３に、探索色の例を示す。図３は、情報処理端末１が記憶ユニット１０４に格納する、予め設定された選択可能な探索色のリストを示す。探索色は、たとえば、「赤」、「黄」、「緑」、「青」、「白」、「黒」、「ピンク」、「オレンジ」、「水色」、「紫」、「茶」、「灰」またはこれらを適宜組み合せた混合色であり、ここには、「ピンク」、「オレンジ」、「黄」、「緑」、「水色」、「青」及び「紫」が示される。また図３には、各探索色に対応付けられた識別画像、たとえばアイコン画像の例が示される。探索色入力部１５は、図示されるような色名のリストを、たとえば色名のリストだけで、またはアイコン画像とともに、情報処理端末１の表示ユニット１０２に表示させる。かかるアイコン画像も、たとえば、記憶ユニット１０４に予め格納されており、探索色入力部１５により読み出される。ユーザは、たとえば表示ユニット１０２に重畳したタッチパネルで構成される入力ユニット１０１により、色名に対応する部位に接触するなどして、所望の探索色を選択する。または、情報処理端末１に備えられるキーパッドまたは表示部１０に表示されるタッチパネル式のキーパッドなどのテキスト入力手段を用いて、探索色名を直接入力してもよい。あるいは、探索色を指定する音声を入力ユニット１０１に入力してもよい。複数の探索色を選択または入力できるようにすることも可能である。  
【００２３】
図２に戻ると、画像送信部１２は、画像生成部１１から受け取った画像データを、通信ユニット１０５に、色探索サーバ装置２の画像受信部２１へ送信させる（Ｓ２０６）。また、探索色送信部１６は、探索色入力部１５から受け取った探索色データを、通信ユニット１０５に、色探索サーバ装置２の探索色受信部２５へ送信させる（Ｓ２０８）。
【００２４】
色探索サーバ装置２において、画像受信部２１は、画像データを受信すると（Ｓ２１０）、符号化された画像データを復号して復号化された画像データを色領域探索部２２に渡す。画像データが動画フレームである場合、画像データはフレームごとに順次色領域探索部２２に渡される。また、探索色受信部２５は、探索色データを受信すると（Ｓ２１２）、探索色データを色領域探索部２２に渡す。
【００２５】
色領域探索部２２は、探索色がユーザにより選択または入力されているか否か、すなわち、探索色受信部２５が、選択または入力された探索色を含む探索色データを受信しているか否かを判断する（Ｓ２１４）。探索色が選択または入力されている場合（Ｓ２１４のＹｅｓ）、色領域探索部２２は、探索色に対応する画像領域を画像データの中から検出する（Ｓ２１８）。このとき、たとえば、色領域探索部２２は、は、予め記憶ユニット２０１に格納される、色名と画素値（ＲＧＢ値やＨＳＶ値など）の範囲との対応に基づいて、探索色に対応する画素値範囲を求める。そして、色領域探索部２２は、画像受信部２１から受け取った画像データの中から、領域拡張法などのアルゴリズムを用いて、求めた画素値範囲に対応する画素値を有する画像領域を検出する。
【００２６】
そして、色領域探索部２２は、検出した検出領域の大きさが所定の閾値以上である場合（Ｓ２２０のＹｅｓ）、その領域の重心座標を計算して、領域検出の対象となった画像データ、及び色名とその重心座標のペアを、画像重畳部２３に渡す。色名と重心座標のペアは複数であってもよい。なお、手順Ｓ２１４において、探索色がユーザにより選択されていない場合（Ｓ２１４のＮｏ）、色領域探索部２２は、予め設定された任意の固定値を探索領域の重心座標として設定する（Ｓ２１６）。また、手順Ｓ２２４において、検出領域の大きさが閾値未満である場合（Ｓ２２０のＮｏ）、その検出領域を破棄する（Ｓ２２４）。
【００２７】
そして、画像重畳部２３は、検出領域に識別画像を重畳する（Ｓ２２６）。たとえば、画像重畳部２３は、図３に示したような探索色に対応するアイコン画像を検出領域に重畳する。ここにおいて、アイコン画像は、その形状により探索色を識別する識別画像である。記憶ユニット２０１には、予め探索色名とアイコン画像との対応情報が格納される。画像重畳部２３は、探索色名とアイコン画像との対応情報を記憶ユニット２０１から読み出し、画像データ中の重心座標に対応する位置に、探索色名に対応づけられたアイコン画像を重畳する。重心座標に重畳することで、探索色に対応する領域をより識別しやすくなる。このとき、探索色が選択または入力されていない場合には、アイコン画像は重畳されない。また、検出領域の大きさが閾値未満である場合にも、その検出領域にアイコン画像は重畳されない。そして、重畳処理が行われた処理画像データを画像送信部２４へ渡す。
【００２８】
画像送信部２４は、通信ユニット２０３により、処理画像データを情報処理端末１の画像受信部１３へ送信する（Ｓ２２８）。
【００２９】
情報処理端末１では、画像受信部１３は、処理画像データを受信し（Ｓ２３０）、受信した処理画像データを画像表示部１４に渡す。すると、画像表示部１４は、表示ユニット１０２に、処理画像データに基づく処理画像を表示させる（Ｓ２３２）。
【００３０】
図４は、識別画像の重畳処理を行う前の画像と、重畳処理が行われた後の画像の例を示す。図４（Ａ）は、重畳処理前の画像を示す。この画像は、洋服店の商品陳列棚の撮像画像であって、カラー画像である。この画像には、たとえば、黄色いシャツが撮像された領域４０と、ピンクのシャツが撮像された領域４２が含まれるものとする。
【００３１】
図４（Ｂ）は、ユーザが黄色とピンクを探索色として選択したときの、処理画像の例である。図４（Ａ）における領域４０ごとの重心に黄色に対応する星型のアイコンが重畳され、領域４２ごとの重心にピンク色に対応するハート型のアイコンが重畳された例が示される。このようにアイコン画像が重畳されることで、ユーザは、たとえば色弱の場合であっても、容易に探索色に対応する光景や被写体の画像を探索できる。なお、画像重畳部２３は、識別画像としてのアイコン画像の大きさを、探索色に対応する領域の大きさに応じて変更してもよい。すなわち、領域の大きさに正の相関を有するようにアイコン画像の大きさを決定する手順を、たとえば、図２の手順Ｓ２２６で実行してもよい。そうすることで、探索色に対応する領域の位置だけでなくその大きさをより精度よく識別することができる。
【００３２】
上述の例において、画像重畳部２３は、探索色が検出された領域に識別画像としてアイコン画像を重畳したが、画像重畳部２３は、探索色が検出された領域が認識できる識別画像であれば、たとえば、斜線や各種パターンによるハッチングを含むテクスチャ画像を重畳してもよい。図５は、図４（Ａ）に示したカラー画像の例において、黄色に対応するテクスチャ画像５０と、ピンクに対応するテクスチャ画像５２を重畳させた処理画像の例である。ここにおけるテクスチャ画像５０、５２は、テクスチャのパターンで探索色を識別する識別画像である。この場合、たとえば、図２の手順Ｓ２１８で検出した検出領域の大きさが閾値以上のときに、検出領域の重心に所定の形状（たとえば矩形や円形、楕円形など）のテクスチャ画像を重畳させることができる。その際、さらに、アイコン画像の場合と同様に、テクスチャ画像の大きさを、探索色に対応する領域の大きさに応じて変更してもよい。あるいは、検出領域全体にテクスチャ画像を重畳させるようにすることもできる。図５では、検出領域全体にテクスチャ画像を重畳させた例が示される。
【００３３】
[第２実施形態]
第２実施形態では、画像表示システムが、情報処理端末１により、すなわち、色探索サーバ装置２を含まずに構成される。
【００３４】
図６は、第２実施形態における画像表示システムの構成図である。第１実施形態の図１の構成と重複する部分には、同じ符号を付し、重複する説明は適宜省略する。この色探索システムは、ユーザ用の情報処理端末１からなる。情報処理端末１は、制御ユニット１００、入力ユニット１０１、表示ユニット１０２、撮像ユニット１０３、及び、記憶ユニット１０４を有する。制御ユニット１００は、画像生成部１１、画像表示部１４、探索色入力部１５、色領域探索部２２、及び、画像重畳部２３を有する。
【００３５】
次に、図７のフローチャート図を併用して、第２実施形態における色探索システムの動作について説明する。この手順は、たとえば、ユーザが情報処理端末１に画像表示を指示する入力を行ったときに実行される。情報処理端末１において、画像生成部１１が、画像データを生成する（Ｓ２００）。一方で、探索色入力部１５は、ユーザが探索色を入力するためのインターフェース画像を表示ユニット１０２に表示させ、探索色の入力を受け付ける（Ｓ２０２）。そして、探索色入力部１５は、探索色の色名を含む探索色データを生成し（Ｓ２０４）、これを色探索命令とともに色領域探索部２２に渡す。
【００３６】
色領域探索部２２は、探索色が選択または入力されている場合（Ｓ２１４のＹｅｓ）、探索色に対応する画像領域を画像データの中から検出する（Ｓ２１８）。このとき、たとえば、色領域探索部２２は、は、予め記憶ユニット１０４に格納される、色名と画素値の範囲との対応に基づいて、探索色に対応する画素値範囲を求める。そして、色領域探索部２２は、画像データの中から、領域拡張法などのアルゴリズムを用いて、求めた画素値範囲に対応する画素値を有する画像領域を検出する。
【００３７】
そして、色領域探索部２２は、検出した検出領域の大きさが所定の閾値以上である場合（Ｓ２２０のＹｅｓ）、その領域の重心座標を計算して、領域検出の対象となった画像データ、及び色名とその重心座標のペアを、画像重畳部２３に渡す。手順Ｓ２１４において、探索色がユーザにより選択されていない場合（Ｓ２１４のＮｏ）、色領域探索部２２は、予め設定された任意の固定値を探索領域の重心座標として設定する（Ｓ２１６）。また、手順Ｓ２２４において、検出領域の大きさが閾値未満である場合（Ｓ２２０のＮｏ）、その検出領域を破棄する（Ｓ２２４）。
【００３８】
そして、画像重畳部２３は、検出領域に識別画像を重畳する（Ｓ２２６）。そして、画像重畳部２３は、重畳処理が行われた処理画像データを画像表示部１４に渡す。すると、画像表示部１４は、表示ユニット１０２に、処理画像データに基づく処理画像を表示させる（Ｓ２３２）。これにより、図４（Ｂ）または図５で示したような処理画像が表示される。
【００３９】
上述した第１、第２の実施形態によれば、探索色を識別する際に、三次元画像化する処理や三次元画像を表示する構成を備える必要がないので、ユーザ所望の色の探索を支援する機能を備えた情報処理端末が簡易な構成かつ低廉に提供される。
【００４０】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００４１】
１    情報処理端末
２    色探索サーバ装置
１１  画像生成部
１２  画像送信部
１３  画像受信部
１４  画像表示部
１５  探索色入力部
１６  探索色送信部
２１  画像受信部
２２  色領域探索部
２３  画像重畳部
２４  画像送信部
２５  探索色受信部
【図１】
2014157524.tif 000003
【図２】
2014157524.tif 000004
【図３】
2014157524.tif 000005
【図６】
2014157524.tif 000006
【図７】
2014157524.tif 000007
【図４】
2014157524.tif 000008
【図５】
2014157524.tif 000009